【事件の表示】
　特願２００４−　６１０２０「チャッキング装置」拒絶査定不服審判事件〔平成１７年　９月１５日出願公開、特開２００５−２５１３０４〕について、次のとおり審決する。
【結　論】
　本件審判の請求は、成り立たない。
【理　由】
１．手続の経緯
　　　　
　本願は、平成１６年３月４日の出願であって、平成１７年１２月２日付けの拒絶理由の通知に応答して平成１８年１月３１日付けで手続補正がなされたが、同年５月１６日付けで拒絶査定がなされ、これに対し、平成１８年６月２１日に拒絶査定不服審判が請求されるとともに同日付けで手続補正がなされたものである。
　そして、当審でなされた平成２０年１１月４日付けの前置審尋に対し、平成２１年１月９日付けで回答書が提出されたものである。
　　　
２．本願発明について
　
　本願の請求項１ないし２に係る発明は平成１８年６月２１日付けで手続補正された特許請求の範囲の請求項１ないし２に記載されたとおりのものと認められるところ、そのうち請求項１に係る発明（以下「本願発明」という。）は、次のとおりである。
「ターンテーブルのハブ本体の径方向に、複数の爪本体を移動可能に設け、前記爪本体でディスク中心孔部を押さえてディスクを保持するチャッキング装置であって、
前記爪本体を前記ハブ本体に対して外方へ付勢する弾性部材を設け、
前記爪本体は、前記ディスクと接触する爪部と、前記弾性部材による外方向への移動を規制する爪側ストッパーとを有し、
前記ハブ本体は、前記爪部が外方へ突出可能な爪用開口部と、前記爪側ストッパーと当接するハブ側ストッパーとを有し、
前記爪本体の下端部の下部部品との接触面を円弧状とし、
前記爪側ストッパーを、前記爪部の側部に設けたことを特徴とするチャッキング装置。」
　　
３．刊行物
　　
　本願の出願前に頒布された刊行物であって原査定の拒絶の理由に引用された特開平１１−３０６６２８号公報（以下「刊行物」という。）には、記録媒体ディスクのチャッキング機構に関して、図面とともに次の事項が記載されている。（なお下線は当審で付与した。）
　
（あ）「【請求項１】  記録媒体ディスクをそれを支持して回転させるターンテーブルに保持するためのチャッキング機構であって、
ターンテーブルのディスク載置面の中心部に記録媒体ディスクの中心孔を嵌合支持するチャックベースを突設させ、該チャックベースに３個以上のチャックフィンをチャックベースの半径方向に移動自在に設けると共に、上記チャックフィンの一部がチャックベースの外周面から突出するように弾発付勢する弾発部材を設け
上記チャックフィンは、回動自在とされ、
記録媒体ディスクのターンテーブルへの着脱時には、チャックフィンが回動することによって記録媒体ディスクのターンテーブルのディスク載置面に離接する方向への移動を許容するようにし、
記録媒体ディスクをその中心孔の開口縁を上記チャックフィンの先端部と上記ディスク載置面とで挟持することによってターンテーブルにチャッキングする
　
（い）「【００５４】図１４乃至図２２は本発明記録媒体ディスクのチャッキング機構の第２の実施の形態を示すものである。
【００５５】ターンテーブル４００（上記ＣＤ−ＲＯＭドライブ１におけるターンテーブル１４に相当する。）のディスク載置面４０１の中心部に、厚手の円盤状の外形をしたチャックベース４１０が突設され、該チャックベース４１０の外周面４１１はターンテーブル４００の回転中心を中心とした円に沿う面とされている。
【００５６】該チャックベース４１０には外周面４１１に開口し奥に延びる配置凹部４２０が周方向に等間隔に離間して３個形成されている。
【００５７】該配置凹部４２０は、上記第１の実施の形態における配置凹部１２０と同様のものであり、下面に凸字状の開口を有し、該凸字状の奥の幅狭の部分４２１が下方及び前方に開口されたバネ受け凹部とされ、幅の広い部分４２２が主凹部とされ、該主凹部４２２の上面はそのほぼ中央の３分の１の部分４２２ａが上方へ開口された上方開口部とされ、該上方開口部４２２ａはチャックベース４１０の外周面４１１にまで達している。上記主凹部４２２の前側に連続した前凹部４２３は上記主凹部４２２の幅と同じ幅を有し、下方が下面壁４２３ａによって閉塞され、上記上方開口部４２２ａによって上方に開口し、その前面開口４２３ｂの形状は横長の矩形の底部の両側が側方に行くに従って上方へ変位する円弧状を為すようにされている。
【００５８】上記の如き配置凹部４２０内にチャックフィン４３０が摺動自在に配置される。
【００５９】
チャックフィン４３０は
チャックベース４１０の外周面４１１に向かう方向から見て横長の矩形をした厚手の板状を為す基部４３１と、該基部４３１から前方へ突出した押え部４３２と
が一体に形成されて成る。
【００６０】上記押え部４３２は、その上面４３２ａが上方から見て基部４３１から前方へ突出した半円状を為し、下面４３２ｂが側方から見て前方へ行くに従って上方へ変位する円弧状を、かつ、正面から見て中央が最下端に位置する円弧状を為し、その上面４３２ａは基部４３１の上面と一致し、基部４３１側の下端は基部４３１の下端よりやや上方に位置している。また、下面４３２ｂの前端縁及び左右両端縁は上面４３２ａと一致している。
【００６１】上記被案内部４３３は、その幅が上記配置凹部４２０の上方開口部４２２ａの幅と同じか僅かに小さく形成され、前端部上面４３３ａは前下がりに傾斜した傾斜面とされ、その前端縁は上記押え部４３２の上面４３２ａに一致している。さらに、該被案内部４３３の後端部は上面から後面にかけて側方から見て円弧状を為す曲面４３３ｂに形成されている。
【００６２】また、
基部４３１の下端部にはその下面から前面にかけて側方から見て円弧状を為す曲面４３１ａ及び下面から後面にかけて側方から見て円弧状を為す曲面４３１ｂが形成され、
【００６３】しかして、上記したチャックフィン４３０がチャックベース４１０の配置凹部４２０内に移動自在に配設される。すなわち、基部４３１が主凹部４２２内において移動自在に配設され、
押え部４３２が前凹部４２３を通してその先端部がチャックベース４１０の外周面４１１から突出する
【００６４】さらに、弾発部材としてコイルバネ４４０が配置凹部４２０内において配置凹部４２０の奥面とチャックフィン４３０の基部４３１との間で縮設される。該コイルバネ４４０の一端部はチャックフィン４３０の基部４３１の後面に弾接され、他端部は配置凹部４２０のバネ受け凹部４２１内に内嵌状に位置される。
【００６５】しかして、
チャックフィン４３０にはコイルバネ４４０によって配置凹部４２０から突出する方向への移動力が付勢され、チャックフィン４３０の同方向への移動は、基部４３１の前面が主凹部４２２の前凹部４２３との境界面、すなわち、前凹部４２３の下面壁４２３ａの主凹部４２２側の端面に当接することによって阻止され
　
（う）「【００６７】次に、ＣＤ−ＲＯＭ９のチャッキングについて説明する。
【００６８】ＣＤ−ＲＯＭ９がその中心孔９ａがチャックベース４１０に位置合せされた状態でターンテーブル４００のディスク載置面４０１に近づくように移動されてくると、中心孔９ａの開口縁がチャックフィン４３０、４３０、４３０の被案内部４３３、４３３、４３３の傾斜面４３３ａ、４３３ａ、４３３ａに当接する（図１９参照）。
【００６９】ここからさらに、ＣＤ−ＲＯＭ９がディスク載置面４０１に近づくように移動すると、チャックフィン４３０、４３０、４３０にはその先端部が下方へ移動する方向への回動力が付勢され、
基部４３１の下端部の前端部が下面から前面にかけての曲面４３１ａ、４３１ａ、４３１ａになっている
ことから、チャックフィン４３０、４３０、４３０は下側の曲面４３１ａ、４３１ａ、４３１ａがターンテーブル４００の上面を滑るようにして
コイルバネ４４０、４４０、４４０を圧縮しながらその前端部が下方へ移動するように回動し（図２０参照）、
【００７０】そして、ＣＤ−ＲＯＭ９がターンテーブル４００のディスク載置面４０１に当接すると、チャックフィン４３０、４３０、４３０はコイルバネ４４０、４４０、４４０によって付勢されている力によってその前端部が上方へ移動するように回動し、かつ、その押え部４３２、４３２、４３２の下面４３２ｂ、４３２ｂ、４３２ｂがＣＤ−ＲＯＭ９の中心孔９ａの上側開口縁を押圧してＣＤ−ＲＯＭ９をターンテーブル４００のディスク載置面４０１に押し付け、チャッキングが完了する（図２１参照）。
【００７１】ＣＤ−ＲＯＭ９をターンテーブル４００から取り外すときは、図２１に示すチャッキングされている状態から、ＣＤ−ＲＯＭ９をディスク載置面４０１から離間する方向に移動させる。
【００７２】すると、ＣＤ−ＲＯＭ９の中心孔９ａの開口縁がチャックフィン４３０、４３０、４３０の押え部４３２、４３２、４３２の下面４３２ｂ、４３２ｂ、４３２ｂを上方へ向けて押圧し、これによって、チャックフィン４３０、４３０、４３０にはその先端部が上方へ移動する方向への回動力が付勢され、
基部４３１、４３１、４３１の下端部の後端部が下面から後面にかけての曲面４３１ｂ、４３１ｂ、４３１ｂになっていることから、該曲面４３１ｂ、４３１ｂ、４３１ｂがターンテーブル４００の上面を滑るようにして、コイルバネ４４０、４４０、４４０を圧縮しながらその前端部が上方へ移動するように回動して(図２２参照)、
　　　
　上記各摘示事項及び図面を総合勘案すると、刊行物には、以下の発明が記載されているものと認められる。
「ターンテーブルのディスク載置面の中心部に記録媒体ディスクの中心孔を嵌合支持するチャックベースを突設させ、チャックベースに３個以上のチャックフィンをチャックベースの半径方向に移動自在に設けると共に、チャックフィンの一部がチャックベースの外周面から突出するように弾発付勢する弾発部材を設け、
　記録媒体ディスクをその中心孔の開口縁をチャックフィンの先端部とディスク載置面とで挟持することによってターンテーブルにチャッキングし、
　チャックフィンは、チャックベースの外周面に向かう方向から見て横長の矩形をした厚手の板状を為す基部と、基部から前方へ突出した押え部とが一体に形成されて成り、
　チャックフィンの突出する方向への移動は、基部の前面がチャックベースの所定の端面に当接することによって阻止され、
　チャックフィンの押え部が前凹部を通してその先端部がチャックベースの外周面から突出し、
　チャックフィンの基部の下端部にはその下面から前面にかけて側方から見て円弧状を為す曲面及び下面から後面にかけて側方から見て円弧状を為す曲面が形成される、
　チャッキング機構。」（以下「刊行物発明」という。）
　
４．対比・判断
　　　
　本願発明と刊行物発明とを対比する。
（i）刊行物発明の「チャッキング機構」は、本願発明の「チャッキング装置」に相当する。
（ii）刊行物発明における「チャックベース」「半径方向」「チャックフィン」「記録媒体ディスクの中心孔」「記録媒体ディスク」及び「弾発部材」は、本願発明における「ハブ本体」「径方向」「爪本体」「ディスク中心孔部」「ディスク」及び「弾性部材」に、各々相当する。
（iii）刊行物発明は、「ターンテーブルのディスク載置面の中心部に記録媒体ディスクの中心孔を嵌合支持するチャックベースを突設させ、チャックベースに３個以上のチャックフィンをチャックベースの半径方向に移動自在に設ける」ものであり、そして、「記録媒体ディスクをその中心孔の開口縁をチャックフィンの先端部とディスク載置面とで挟持することによってターンテーブルにチャッキング」するものであるから、本願発明と、「ターンテーブルのハブ本体の径方向に、複数の爪本体を移動可能に設け、前記爪本体でディスク中心孔部を押さえてディスクを保持する」の点で共通する。
（iv）刊行物発明は、「チャックフィンの一部がチャックベースの外周面から突出するように弾発付勢する弾発部材を設け」るのであるから、本願発明と、「爪本体を」「ハブ本体に対して外方へ付勢する弾性部材を設け、」の点で共通する。
（v）刊行物発明における「チャックフィン」の「先端部」は、「記録媒体ディスクをその中心孔の開口縁をチャックフィンの先端部とディスク載置面とで挟持」するものであるから、「ディスクと接触する」点で本願発明における「爪部」に相当する。
　よって刊行物発明は、本願発明と、「爪本体は、」「ディスクと接触する爪部と」「を有し、」の点で共通する。
（vi）刊行物発明は、「チャックフィンの突出する方向への移動」すなわち上記（iv）にて述べた「チャックフィンの一部がチャックベースの外周面から突出するよう」な「弾発部材」の付勢による移動が、チャックフィンの「基部の前面がチャックベースの所定の端面に当接することによって阻止され」るのであるから、本願発明の「爪本体」における「弾性部材による外方向への移動を規制する爪側ストッパー」を実質的に有している。
（vii）刊行物発明は、「チャックフィンの押え部が前凹部を通してその先端部がチャックベースの外周面から突出」するものであるところ、上記「前凹部」が、チャックフィンの押え部の先端部をチャックベースの外周面から突出させるための開口部を構成する要素であることは明らかであり、そして、「チャックフィンの突出する方向への移動は、基部の前面がチャックベースの所定の端面に当接することによって阻止され」るものであるから、本願発明と、「ハブ本体は、」「爪部が外方へ突出可能な爪用開口部と、」「爪側ストッパーと当接するハブ側ストッパーとを有し、」の点で共通する。
（viii）刊行物発明は、「チャックフィンの基部の下端部にはその下面から前面にかけて側方から見て円弧状を為す曲面及び下面から後面にかけて側方から見て円弧状を為す曲面が形成され」るものであるところ、基部下端部の前端部下面から前面にかけての曲面、及び、後端部下面から後面にかけての曲面が各々ターンテーブルの上面を滑る（上記３．（う）【００６９】【００７２】参照）のであるから「チャックフィンの基部の下端部」にターンテーブルの上面との接触面を有することは明らかであり、本願発明と、「爪本体の下端部の下部部品との接触面を円弧[を含む形]状とし」の点で共通する。
　　
　そうすると、刊行物発明と本願発明とは、次の点で一致する。
＜一致点＞
「ターンテーブルのハブ本体の径方向に、複数の爪本体を移動可能に設け、前記爪本体でディスク中心孔部を押さえてディスクを保持するチャッキング装置であって、
前記爪本体を前記ハブ本体に対して外方へ付勢する弾性部材を設け、
前記爪本体は、前記ディスクと接触する爪部と、前記弾性部材による外方向への移動を規制する爪側ストッパーとを有し、
前記ハブ本体は、前記爪部が外方へ突出可能な爪用開口部と、前記爪側ストッパーと当接するハブ側ストッパーとを有し、
前記爪本体の下端部の下部部品との接触面を円弧[を含む形]状としたチャッキング装置。」である点。
　　　　　　
　そして、次の点で相違する。
＜相違点１＞
　本願発明では、爪本体の下端部の下部部品との接触面について、「円弧状」とするのに対し、刊行物発明では、そのように特定されていない点。
＜相違点２＞
　本願発明では、「前記爪側ストッパーを、前記爪部の側部に設けた」とするのに対し、刊行物発明では、そのように特定されていない点。
　　
　上記各相違点について検討する。
　
　上記＜相違点１＞について、
　本願発明は、「円弧状」とすることで、「爪部先端の動作を安定して行うことができる」（本願【０００７】）ようにするものである。
　刊行物発明におけるチャックフィンの下端部は、「チャックフィン４３０、４３０、４３０は下側の曲面４３１ａ、４３１ａ、４３１ａがターンテーブル４００の上面を
滑るようにして
滑るようにして
　　
　上記＜相違点２＞について、
　爪側ストッパーを爪部の側部に設ける技術は周知（特開平８−３３５３５１号公報（【００１３】）、特開平１０−１８８４１８号公報（【００１７】）等参照。）なものである。
　刊行物発明においては、チャックフィンの基部前面がチャックベースの所定の端面と当接するものであるところ、上記基部における上記当接の位置は「チャックフィンの突出する方向への移動は」「阻止され」るとの機能を実現する範囲で設計的に選択し得るものにすぎず、上記基部がチャックベースの外周面に向かう方向から見て「横長の矩形」をしていることを考慮すると、上記周知な技術を適用すること、すなわち上記位置を上記横長の矩形の両側部とすることにより本願発明の「前記爪側ストッパーを、前記爪部の側部に設けた」に相当する配置とすることは、当業者が容易に想到し得たものである。
　爪側ストッパーを爪部の側部に設けた場合には、爪部の下側にスペースが不要となるのは当然のことであって、「爪部の高さを低くできる」効果についても当業者が予測し得るものにすぎない。
　　
　なお請求人は、請求の理由における「（３）本願発明が特許されるべき理由」において、
「本件出願は、意見書及び手続補正書の内容を検討したが、拒絶理由２、３を覆すに足りる根拠が見いだせないとの理由によって拒絶されています。 
 　しかし、平成１８年１月３１日付け提出の手続補正書によって補正した請求項１、２は、出願時の請求項４、５であり、拒絶理由２、３の対象とならなかった請求項です。」
と主張する。
　しかしながら、平成１７年１２月２日付けの拒絶理由において理由２及び３の対象とならなかった出願当初の請求項４及び５に係る発明は、いずれも請求項２を引用するものであるのに対し、平成１８年１月３１日付けで補正された特許請求の範囲の請求項１及び２に係る発明は出願当初の請求項２に記載された発明特定事項を含むものではないから、平成１８年１月３１日付けの手続補正により補正された請求項１、２が出願時の請求項４、５であるとの請求人の上記主張は採用することができないものである。
　
　上記各相違点を総合的に検討しても、本願発明の奏する効果は刊行物に記載された発明及び周知な技術から当業者が十分予測可能なものと認められる。
　したがって本願発明は、刊行物に記載された発明及び周知な技術に基づいて当業者が容易に発明をすることができたものである。
　
（参考までに、平成２１年１月９日付け回答書に提示された補正案について言及すると、上記補正案では、請求項１に「前記ディスクが前記爪部に保持されていないスタンバイ状態での前記爪部の位置を、前記ディスクが前記爪部に保持されている記録・再生状態での前記爪部の位置よりも低くした」との発明特定事項が付加されるところ、これにより、平成１７年１２月２日付けの拒絶理由の理由４（１）に指摘のとおり、特許請求の範囲の記載が特許法第３６条第６項第２号の規定を満たさないものとなるから、上記補正案によっても、本願は特許することができるものではない。）
　　
５．むすび
　
　以上のとおり、本願の請求項１に係る発明は、刊行物に記載された発明及び周知な技術に基づいて当業者が容易に発明をすることができたものであるから、特許法第２９条２項の規定により特許を受けることができない。
　したがって本願は、その余の請求項について論及するまでもなく拒絶すべきものである。
　　
　よって、結論のとおり審決する。